【手続補正書】
【提出日】平成19年3月28日(2007.3.28)
【手続補正１】
【補正対象書類名】特許請求の範囲
【補正対象項目名】全文
【補正方法】変更
【補正の内容】
【特許請求の範囲】
【請求項１】
第１の画像データを用いて複数の電気泳動素子に第１の画像を表示する第１の書込工程と、
第２の画像データを用いて前記複数の電気泳動素子に第２の画像を表示する第２の書込工程との間で、前記第１の画像の残像が存在せずかつ前記第１の画像が非表示となる第１の非表示状態に設定する無残像非表示用電圧より小さい電圧を前記複数の電気泳動素子に印加し、当該複数の電気泳動素子に対して前記残像が存在しかつ前記第１の画像が非表示となる第２の非表示状態にする第１のリセット工程と、
前記第１のリセット工程を行う頻度より低い頻度で、前記無残像非表示用電圧を前記複数の電気泳動素子に印加し、前記複数の電気泳動素子を前記第１の非表示状態にする第２のリセット工程と、
を含むことを特徴とする電気泳動表示装置の駆動方法。
【請求項２】
前記残像の消去の要否を判断する判断工程を含み、
前記判断工程で前記残像の消去が必要であると判断されるとき、前記第２のリセット工程を行うことを特徴とする請求項１記載の電気泳動表示装置の駆動方法。
【請求項３】
前記判断工程は、前記残像を視認することにより又は前記残像の有無を検出することにより行うことを特徴とする請求項２記載の電気泳動表示装置の駆動方法。
【請求項４】
複数の電気泳動素子と、
第１の画像データを用いて前記複数の電気泳動素子に第１の画像を表示する第１の書き込みと、第２の画像データを用いて前記複数の電気泳動素子に第２の画像を表示する第２の書き込みとの間で、前記第１の画像の残像が存在せずかつ第１の画像が非表示となる第１の非表示状態に設定する無残像非表示用電圧より小さい電圧を前記複数の電気泳動素子に印加し、当該複数の電気泳動素子に対して前記残像が存在しかつ前記第１の画像が非表示となる第２の非表示状態にする第１のリセットを行い、前記第１のリセットを行う頻度より低い頻度で、前記無残像非表示用電圧を前記複数の電気泳動素子に印加し、前記複数の電気泳動素子を前記第１の非表示状態にする第２のリセットを行う制御部と、
を含むことを特徴とする電気泳動表示装置。
【請求項５】
前記残像の消去が必要であるとの情報を入力するための入力部を含み、
前記制御部は、前記入力部から前記残像の消去が必要であるとの情報が入力されたとき、前記第２のリセットを行うことを特徴とする請求項４記載の電気泳動表示装置。
【請求項６】
複数の記憶性素子と、
第１の画像データを用いて前記複数の記憶性素子に第１の画像を表示する第１の書き込みと、第２の画像データを用いて前記複数の記憶性素子に第２の画像を表示する第２の書き込みとの間で、前記第１の画像の残像が存在せずかつ第１の画像が非表示となる第１の非表示状態に設定する無残像非表示用電圧より小さい電圧を前記複数の記憶性素子に印加し、当該複数の記憶性素子に対して前記残像が存在しかつ前記第１の画像が非表示となる第２の非表示状態にする第１のリセットを行い、前記第１のリセットを行う頻度より低い頻度で、前記無残像非表示用電圧を前記複数の記憶性素子に印加し、前記複数の記憶性素子を前記第１の非表示状態にする第２のリセットを行う制御部と、
を含むことを特徴とする記憶性表示装置。
【請求項７】
前記残像の消去が必要であるとの情報を入力するための入力部を含み、
前記制御部は、前記入力部から前記残像の消去が必要であるとの情報が入力されたとき、前記第２のリセットを行うことを特徴とする請求項６記載の記憶性表示装置。
【手続補正２】
【補正対象書類名】明細書
【補正対象項目名】０００５
【補正方法】変更
【補正の内容】
【０００５】
本発明に係る電気泳動表示装置の駆動方法は、上記した従来の課題を解決すべく、第１の画像データを用いて複数の電気泳動素子に第１の画像を表示する第１の書込工程と、第２の画像データを用いて前記複数の電気泳動素子に第２の画像を表示する第２の書込工程との間で、前記第１の画像の残像が存在せずかつ前記第１の画像が非表示となる第１の非表示状態に設定する無残像非表示用電圧より小さい電圧を前記複数の電気泳動素子に印加し、当該複数の電気泳動素子に対して前記残像が存在しかつ前記第１の画像が非表示となる第２の非表示状態にする第１のリセット工程と、前記第１のリセット工程を行う頻度より低い頻度で、前記無残像非表示用電圧を前記複数の電気泳動素子に印加し、前記複数の電気泳動素子を前記第１の非表示状態にする第２のリセット工程とを含む。
【手続補正３】
【補正対象書類名】明細書
【補正対象項目名】０００６
【補正方法】変更
【補正の内容】
【０００６】
本発明に係る電気泳動表示装置の駆動方法によれば、従来のリセット工程に相当する前記第１のリセット工程については、従来のリセット工程で用いられていた前記無残像非表示用電圧より低く、また、前記第２のリセット工程について、前記第２の電圧が、前記無残像非表示用電圧に等しく、しかも、当該第２のリセット工程の頻度が前記第１のリセット工程の頻度より低い。これにより、消費電力を従来の電気泳動表示装置より少なく抑えつつも、従来の電気泳動表示装置と同様に前記複数の電気泳動素子に残像が存在しないようにすることが可能となる。
【手続補正４】
【補正対象書類名】明細書
【補正対象項目名】０００７
【補正方法】変更
【補正の内容】
【０００７】
上記した本発明に係る電気泳動表示装置の駆動方法では、前記残像の消去の要否を判断する判断工程を含み、前記判断工程で前記残像の消去が必要であると判断されるとき、前記第２のリセット工程を行う。
【手続補正５】
【補正対象書類名】明細書
【補正対象項目名】０００９
【補正方法】変更
【補正の内容】
【０００９】
本発明に係る電気泳動表示装置は、複数の電気泳動素子と、第１の画像データを用いて前記複数の電気泳動素子に第１の画像を表示する第１の書き込みと、第２の画像データを用いて前記複数の電気泳動素子に第２の画像を表示する第２の書き込みとの間で、前記第１の画像の残像が存在せずかつ第１の画像が非表示となる第１の非表示状態に設定する無残像非表示用電圧より小さい電圧を前記複数の電気泳動素子に印加し、当該複数の電気泳動素子に対して前記残像が存在しかつ前記第１の画像が非表示となる第２の非表示状態にする第１のリセットを行い、前記第１のリセットを行う頻度より低い頻度で、前記無残像非表示用電圧を前記複数の電気泳動素子に印加し、前記複数の電気泳動素子を前記第１の非表示状態にする第２のリセットを行う制御部とを含む。
【手続補正６】
【補正対象書類名】明細書
【補正対象項目名】００１０
【補正方法】変更
【補正の内容】
【００１０】
上記した本発明に係る電気泳動表示装置では、前記残像の消去が必要であるとの情報を入力するための入力部を含み、前記制御部は、前記入力部から前記残像の消去が必要であるとの情報が入力されたとき、前記第２のリセットを行う。
【手続補正７】
【補正対象書類名】明細書
【補正対象項目名】００１１
【補正方法】変更
【補正の内容】
【００１１】
本発明に係る記憶性表示装置は、複数の記憶性素子と、第１の画像データを用いて前記複数の記憶性素子に第１の画像を表示する第１の書き込みと、第２の画像データを用いて前記複数の記憶性素子に第２の画像を表示する第２の書き込みとの間で、前記第１の画像の残像が存在せずかつ第１の画像が非表示となる第１の非表示状態に設定する無残像非表示用電圧より小さい電圧を前記複数の記憶性素子に印加し、前記複数の電気泳動素子に対して前記残像が存在しかつ前記第１の画像が非表示となる第２の非表示状態にする第１のリセットを行い、前記第１のリセットを行う頻度より低い頻度で、前記無残像非表示用電圧を前記複数の記憶性素子に印加し、前記複数の電気泳動素子を前記第１の非表示状態にする第２のリセットを行う制御部とを含む。
上記した本発明に係る記憶性表示装置では、前記残像の消去が必要であるとの情報を入力するための入力部を含み、前記制御部は、前記入力部から前記残像の消去が必要であるとの情報が入力されたとき、前記第２のリセットを行う。
【手続補正８】
【補正対象書類名】明細書
【補正対象項目名】００１７
【補正方法】変更
【補正の内容】
【００１７】
図３は、表示部の構造を示す。表示部１０は、図３に示されるような従来知られた構造を有しており、その裏面側（ユーザが視認することができない側）に設けられたＴＦＴ(Thin Film Transistor)基板１００上に、例えば、ゲート線Ｇ１に対応する画素電極ＰＥ１１、ＰＥ２１、ＰＥ３１、・・・、ＰＥｍ１が一列に配置されている。当該画素電極ＰＥ１１、ＰＥ２１、ＰＥ３１、・・・、ＰＥｍ１、及び他の画素電極ＰＥ１２〜ＰＥｍｎに対向する表面側（ユーザが視認することができる側）には、保護膜１０２により保護された共通電極ＣＥが形成されている。画素電極ＰＥ１１、ＰＥ２１、ＰＥ３１、・・・、ＰＥｍ１及び共通電極ＣＥ間には、電気泳動素子Ｐ１１、Ｐ２１、Ｐ３１、・・・、Ｐｍ１が、充填剤であるバインダ１０１により固定された状態で設けられている。
【手続補正９】
【補正対象書類名】明細書
【補正対象項目名】００４３
【補正方法】変更
【補正の内容】
【００４３】
工程Ｓ４−３：書換スイッチ４２の操作による”強制リセット及び画像データの書き込み”の旨が入力されると、装置制御回路３１は、”強制リセット及び画像データの書き込み”の実行の旨を信号処理回路２０に通知し、当該通知に応答して信号処理回路２０は、”強制白リセット”の場合と同様に、図８中の工程Ｓ４における実線で示されるタイミングで、図６に示されるように、共通電極ＣＥに印加すべき電圧ＶH及び画素電極ＰＥ１１〜ＰＥｍｎに印加すべき零電圧をゲートドライバ１１及びソースドライバ１２に出力し、前記所定時間の保持後、共通電極に零電圧を印加することにより、電気泳動素子Ｐ１１〜Ｐｍｎに強制白リセットを施す。
【手続補正１０】
【補正対象書類名】明細書
【補正対象項目名】００４４
【補正方法】変更
【補正の内容】
【００４４】
信号処理回路２０は、さらに、当該強制白リセットに引き続き、図８中の工程Ｓ４における点線で示されるタイミングで、図５に示されるような、共通電極ＣＥに零電圧を印加すべく、さらに、画素電極ＰＥ１１〜ＰＥｍｎのうち、画像データＤ２により規定される”黒”を表示すべき画素電極ｉｊ（ｉは、１〜ｍの範囲の任意の整数、ｊは、１〜ｎの範囲の任意の整数）に電圧ＶLを印加すべくゲートドライバ１１及びソースドライバ１２を制御し、電気泳動素子Ｐ１１〜Ｐｍｎに、工程Ｓ１で電気泳動素子Ｐ１１〜Ｐｍｎに書き込んだ画像データＤ２を再度表示させる。
【手続補正１１】
【補正対象書類名】明細書
【補正対象項目名】００４６
【補正方法】変更
【補正の内容】
【００４６】
《効果》
上述したように、実施例の電気泳動表示装置Ｄでは、入力ユニット４内の白スイッチ４０、黒スイッチ４１、又は書換スイッチ４２の操作により入力される、強制白リセット、強制黒リセット、又は強制書き換えの旨に応答すべく、装置制御ユニット３内の装置制御回路３１の制御下で、表示制御ユニット２内の信号処理回路２０が、表示ユニット１内のゲートドライバ１１及びソースドライバ１２を介して、電気泳動素子Ｐ１１〜Ｐｍｎに、従来の通常リセットで用いられていた電圧より低い電圧ＶLで、即ち、残像の消去の観点から劣位である低い電圧ＶLで通常リセットを行い、他方で、従来の通常リセットで用いられていた前記電圧より高い電圧ＶH、即ち、残像の消去の観点から優位である高い電圧ＶHを用いしかも従来の通常リセットの頻度より低い頻度の強制リセットを施す。これにより、従来の電気泳動表示装置に比較して消費電力を低減しつつ、従来の電気泳動表示装置と同様な程度に電気泳動素子Ｐ１１〜Ｐｍｎにおける残像の消去を行うことが可能となる。